【手続補正書】
【提出日】平成21年3月12日(2009.3.12)
【手続補正１】
【補正対象書類名】明細書
【補正対象項目名】特許請求の範囲
【補正方法】変更
【補正の内容】
【特許請求の範囲】
【請求項１】  表示状態が変化可能な可変表示装置を有し、当該可変表示装置に表示される識別情報の表示結果が予め定められた特定の表示態様となった場合、遊技に際して遊技者側に有利となる特定遊技状態を発生させる遊技機であって、
前記可変表示装置に表示される識別情報の表示過程および表示結果を決定するための抽選を行なう抽選手段と、
該抽選手段による抽選結果に基づいて、識別情報の最終的な表示結果である最終表示態様を決定する最終表示態様決定手段と、
該最終表示態様決定手段によって決定された最終表示態様で識別情報を停止させる前に、当該識別情報を、次の動作を予告するための所定の予告表示態様で一旦仮停止した後、再び変動表示を行なう予告再変動表示を、複数回実行する予告再変動実行手段とを備えることを特徴とする、遊技機。
【請求項２】  前記予告再変動実行手段は、識別情報の表示結果が特定の表示態様となる可能性の度合いを示す最終予告表示態様の仮停止表示前に、事前予告表示態様により仮停止表示を行なうことを特徴とする、請求項１に記載の遊技機。
【請求項３】  表示状態が変化可能な可変表示装置を有し、当該可変表示装置に表示される識別情報の表示結果が予め定められた特定の表示態様となった場合、遊技に際して遊技者側に有利となる特定遊技状態を発生させる遊技機であって、
前記可変表示装置に表示される識別情報の表示過程および表示結果を決定するための抽選を行なう抽選手段と、
該抽選手段による抽選結果に基づいて、識別情報の最終的な表示結果である最終表示態様を決定する最終表示態様決定手段と、
該最終表示態様決定手段によって決定された最終表示態様で識別情報を停止させる前に、所定の事前予告表示態様で識別情報を仮停止させることにより、仮停止後に識別情報が再変動してから所定の最終予告表示態様で再度識別情報が仮停止する旨を予告した後、再び変動表示を行なう再変動表示を実行する第１再変動表示実行手段と、
該第１再変動表示実行手段による前記再変動表示の実行後、前記最終予告表示態様で識別情報を再度仮停止させることにより、識別情報の表示結果が前記特定の表示態様となる可能性の度合いを示した後、再び変動表示を行なう再変動表示を実行する第２再変動表示実行手段とを備えることを特徴とする、遊技機。
【請求項４】  識別情報の表示結果が特定の表示態様となる可能性は、最終予告表示態様における識別情報の種類により決定することを特徴とする、請求項２または請求項３に記載の遊技機。
【請求項５】  識別情報の表示結果が特定の表示態様となる可能性は、最終予告表示態様において、複数の表示領域に表示される特定識別情報の数により決定することを特徴とする、請求項２または請求項３に記載の遊技機。
【手続補正２】
【補正対象書類名】明細書
【補正対象項目名】００１３
【補正方法】変更
【補正の内容】
【００１３】
【課題を解決するための手段】
上記目的を達成するため、本発明の第一の観点にかかる遊技機は、表示状態が変化可能な可変表示装置（たとえば、特別図柄表示装置４）を有し、当該可変表示装置に表示される識別情報（たとえば、特別図柄）の表示結果が予め定められた特定の表示態様（たとえば、有効ライン上でぞろ目）となった場合、遊技に際して遊技者側に有利となる特定遊技状態（たとえば、大当りの状態）を発生させる遊技機（たとえば、パチンコ遊技機１）であって、前記可変表示装置に表示される識別情報の表示過程および表示結果を決定するための抽選を行なう抽選手段（たとえば、Ｓ２０１）と、該抽選手段による抽選結果に基づいて、識別情報の最終的な表示結果である最終表示態様を決定する最終表示態様決定手段（たとえば、Ｓ２０１）と、該最終表示態様決定手段によって決定された最終表示態様で識別情報を停止させる前に、当該識別情報を、次の動作を予告するための所定の予告表示態様（たとえば、第１，第２チャンス目）で一旦仮停止した後、再び変動表示を行なう予告再変動表示を、複数回実行する予告再変動実行手段（たとえば、表示制御部１３）とを備えるように構成する、または、該最終表示態様決定手段によって決定された最終表示態様で識別情報を停止させる前に、所定の事前予告表示態様（たとえば、第１チャンス目）で識別情報を仮停止させることにより、仮停止後に識別情報が再変動してから所定の最終予告表示態様（第２チャンス目）で再度識別情報が仮停止する旨を予告した後、再び変動表示を行なう再変動表示を実行する第１再変動表示実行手段（たとえば、表示制御部１３）と、該第１再変動表示実行手段による前記再変動表示の実行後、前記最終予告表示態様で識別情報を再度仮停止させることにより、識別情報の表示結果が前記特定の表示態様となる可能性の度合いを示した後、再び変動表示を行なう再変動表示を実行する第２再変動表示実行手段（たとえば、表示制御部１３）とを備えるように構成する。
【手続補正３】
【補正対象書類名】明細書
【補正対象項目名】００１４
【補正方法】削除
【補正の内容】
【手続補正４】
【補正対象書類名】明細書
【補正対象項目名】００１７
【補正方法】変更
【補正の内容】
【００１７】
上記目的を達成するため、本発明の第二の観点にかかる記録媒体は、予め設定された変動表示開始条件を満足するか否かを判定する開始条件判定処理と、前記開始条件判定処理において変動表示開始条件を満足すると判定した場合、可変表示装置上に表示される複数種類の識別情報の変動表示を開始するとともに、所定時間経過後に変動表示を停止する変動表示処理と、前記変動表示処理による識別情報の表示過程および表示結果を決定するための抽選を行なう抽選処理と、該抽選処理における抽選結果に基づいて、前記変動表示処理により変動表示を行なう識別情報の最終表示態様を決定する最終表示態様決定処理と、該最終表示態様決定処理によって決定された最終表示態様で識別情報を停止させる前に、当該識別情報を、次の動作を予告するための所定の予告表示態様で一旦仮停止した後、再び変動表示を行なう予告再変動表示を、複数回実行し、識別情報の表示結果が特定の表示態様となる可能性の度合いを示す最終予告表示態様の仮停止表示前に、事前予告表示態様により仮停止表示を行なう予告再変動実行処理とをコンピュータに実行させるためのプログラムを記録している。
【手続補正５】
【補正対象書類名】明細書
【補正対象項目名】００１９
【補正方法】変更
【補正の内容】
【００１９】
上記目的を達成するため、本発明の第三の観点にかかる演出制御方法は、予め設定された変動表示開始条件を満足するか否かを判定する開始条件判定手順と、前記開始条件判定手順において変動表示開始条件を満足すると判定した場合、可変表示装置上に表示される複数種類の識別情報の変動表示を開始するとともに、所定時間経過後に変動表示を停止する変動表示手順と、前記変動表示手順による識別情報の表示過程および表示結果を決定するための抽選を行なう抽選手順と、該抽選手順における抽選結果に基づいて、前記変動表示手順により変動表示を行なう識別情報の最終表示態様を決定する最終表示態様決定手順と、該最終表示態様決定手順によって決定された最終表示態様で識別情報を停止させる前に、当該識別情報を、次の動作を予告するための所定の予告表示態様で一旦仮停止した後、再び変動表示を行なう予告再変動表示を、複数回実行し、識別情報の表示結果が特定の表示態様となる可能性の度合いを示す最終予告表示態様の仮停止表示前に、事前予告表示態様により仮停止表示を行なう予告再変動実行手順とを含んでいる。